(57)【要約】      （修正有）【課題】下水槽における水が電気チャンバに漏れる状況を防止し、上蓋と下水槽との間に余分の防水処理をする必要がなく、生産コストが低減し、上蓋を開ければ、直接下水槽に水を加えるか、又は洗浄を行うことができる水中給水加湿器を提供する。【解決手段】下水槽と、下水槽の上に被覆接続される上蓋とを備える水中給水加湿器であって、下水槽と上蓋２とが脱着可能に連結され、上蓋のキャビティに電気チャンバが設けられており、電気チャンバにブロワ３と表示制御パネルとが設けられており、上蓋の底部にエネルギー集積霧化管５が設けられており、エネルギー集積霧化管の外側に入気部５１が設けられており、ブロワが入気部に接続され、エネルギー集積霧化管のキャビティがそれぞれ、入気部と上蓋の噴霧口に連通し、エネルギー集積霧化管の底部に霧化部品６が設けられており、霧化部品とブロワがそれぞれ、表示制御パネルに電気的に接続される。【選択図】図１
0003229468.tif 000002
【実用新案登録請求の範囲】
【請求項１】
下水槽１と、下水槽１に被覆接続される上蓋２とを備える水中給水加湿器であって、下水槽１と上蓋２とが脱着可能に連結され、前記上蓋２に電気素子を組立てるための電気チャンバが設けられており、前記電気チャンバにブロワ３と表示制御パネル４とが設けられており、前記上蓋２の底部にエネルギー集積霧化管５が設けられており、前記エネルギー集積霧化管５の外側に入気部５１が設けられており、前記ブロワ３が入気部５１に接続され、エネルギー集積霧化管５のキャビティがそれぞれ、入気部５１と上蓋２の噴霧口２１に連通し、エネルギー集積霧化管５の底部に霧化部品６が設けられており、前記霧化部品６とブロワ３がそれぞれ、表示制御パネル４に電気的に接続されることを特徴とする、水中給水加湿器。
【請求項２】
前記入気部５１の頂部にブロワ３に接続される入気口が設けられており、入気部５１の底部に導風斜面５１１が設けられていることを特徴とする、請求項１に記載の水中給水加湿器。
【請求項３】
前記エネルギー集積霧化管５のキャビティにエネルギー集積フロート７が設けられており、前記エネルギー集積フロート７の中心位置に集霧スルーホール７１が設けられていることを特徴とする、請求項１に記載の水中給水加湿器。
【請求項４】
前記集霧スルーホール７１の外側壁に幾つかの補強リブ７２が設けられていることを特徴とする、請求項３に記載の水中給水加湿器。
【請求項５】
前記上蓋２に、エネルギー集積霧化管５に接続されるラッパ口２２が設けられており、前記ラッパ口２２の幅が下から上に大きくなり、上蓋２の上端に噴霧蓋２３が設けられており、前記噴霧蓋２３がラッパ口２２に被覆接続され、噴霧蓋２３の底部にエネルギー集積リング２３１が設けられており、前記エネルギー集積リング２３１が下に向けて開口する円弧形を呈しており、エネルギー集積リング２３１とラッパ口２２との間に噴霧隙間が形成し、前記噴霧口２１が噴霧蓋２３の頂部に設けられ、噴霧隙間と連通することを特徴とする、請求項１に記載の水中給水加湿器。
【請求項６】
前記エネルギー集積リング２３１の下端の中心位置に分流リング２３２が設けられており、前記分流リング２３２に幾つかの分流孔２３３が設けられていることを特徴とする、請求項５に記載の水中給水加湿器。
【請求項７】
前記下水槽１と上蓋２が全て円柱体状を呈することを特徴とする、請求項１〜６の何れか１項に記載の水中給水加湿器。
【請求項８】
前記下水槽１と上蓋２が全て四角形状を呈することを特徴とする、請求項１〜６の何れか１項に記載の水中給水加湿器。  
【考案の詳細な説明】
【技術分野】
【０００１】
本考案は、加湿器の分野に関し、詳しくは水中給水加湿器に関する。
【背景技術】
【０００２】
近年、健康志向の高まりに伴い、加湿器が室内の空気に適切な湿度を付与する設備として家庭生活に広く用いられている。従来の加湿器の構造として、一般的には、加湿器の制御装置等の電気素子及び霧化装置が全て加湿器の水槽の下の台座に設けられ、水槽と台座との間が防水処理される必要があり、製造コストが向上するとともに、長期間に使用される場合、さらに水漏れの問題が現れる恐れがあり、加湿器の破損につながる。
【０００３】
このため、さらに改善する必要がある。
【考案の概要】
【０００４】
本考案の目的は、前記従来技術に存在するデメリットを克服し、水中給水加湿器を提供することであり、少なくともある程度従来技術中の前記課題の１つを解決するように意図される。
【０００５】
本考案の目的は以下の通りに実現される。
【０００６】
下水槽と、下水槽の上に被覆接続される上蓋とを備える水中給水加湿器であって、下水槽と上蓋とが脱着可能に連結され、上蓋に電気素子を組立てるための電気チャンバが設けられており、電気チャンバにブロワと表示制御パネルとが設けられており、上蓋の底部にエネルギー集積霧化管が設けられており、エネルギー集積霧化管の外側に入気部が設けられており、ブロワが入気部に接続され、エネルギー集積霧化管のキャビティがそれぞれ、入気部と上蓋の噴霧口に連通し、エネルギー集積霧化管の底部に霧化部品が設けられており、霧化部品とブロワがそれぞれ、表示制御パネルに電気的に接続される水中給水加湿器。
【０００７】
前記入気部の頂部に、ブロワに接続される入気口が設けられており、入気部の底部に導風斜面が設けられている。
【０００８】
前記エネルギー集積霧化管のキャビティにエネルギー集積フロートが設けられており、エネルギー集積フロートの中心位置に集霧スルーホールが設けられている。
【０００９】
前記集霧スルーホールの外側壁に幾つかの補強リブが設けられている。
【００１０】
前記上蓋に、エネルギー集積霧化管に接続されるラッパ口が設けられており、ラッパ口の幅が下から上に大きくなり、上蓋の上端に噴霧蓋が設けられており、噴霧蓋がラッパ口に被覆接続され、噴霧蓋の底部にエネルギー集積リングが設けられており、エネルギー集積リングが下に向けて開口する円弧形を呈しており、エネルギー集積リングとラッパ口との間に噴霧隙間が形成し、噴霧口が噴霧蓋の頂部に設けられ、噴霧隙間と連通する。
【００１１】
前記エネルギー集積リングの下端の中心位置に分流リングが設けられており、分流リングに幾つかの分流孔が設けられている。
【００１２】
前記下水槽と上蓋が全て円柱体状を呈する。
【００１３】
前記下水槽と上蓋が全て四角形状を呈する。
【００１４】
本考案の効果は、以下の通りである。
【００１５】
ブロワと表示制御パネルを上蓋の電気チャンバに設けることにより、下水槽における水が電気チャンバに漏れる状況を防止し、上蓋と下水槽との間に余分の防水処理をする必要がなく、生産コストが低減し、上蓋を開ければ、直接下水槽に水を加えるか、又は洗浄を行うことができ、製品は使いやすい上に、長く使える。
【００１６】
本考案の附加的な点とメリットは以下の説明の部分において明らかになり、又は本考案の実践から分かるものである。
【図面の簡単な説明】
【００１７】
【図１】本考案に係る第１の実施例の断面図である。
【図２】本考案に係る第１の実施例の分解図である。
【図３】本考案に係る第１の実施例の斜視図である。
【図４】本考案に係る第２の実施例の斜視図である。
【考案を実施するための形態】
【００１８】
以下に添付図面及び実施例を参照しながら本考案をさらに説明する。
【００１９】
第１の実施例
図１〜図３を参照する。本水中給水加湿器は、下水槽１と、下水槽１に被覆接続される上蓋２とを備え、下水槽１と上蓋２とが脱着可能に連結され、上蓋２に電気素子を組立てるための電気チャンバが設けられており、電気チャンバにブロワ３と表示制御パネル４とが設けられており、上蓋２の底部にエネルギー集積霧化管５が設けられており、エネルギー集積霧化管５の外側に入気部５１が設けられており、ブロワ３が入気部５１に接続される。水煙が入気部５１の位置まで上昇する場合、ブロワ３から生じる気流の作用で上昇し続ける。エネルギー集積霧化管５のキャビティがそれぞれ、入気部５１と上蓋２の噴霧口２１に連通し、エネルギー集積霧化管５の底部に霧化部品６が設けられており、霧化部品６とブロワ３がそれぞれ、表示制御パネル４に電気的に接続される。ブロワ３と表示制御パネル４を上蓋２の電気チャンバに設けることにより、下水槽１における水が電気チャンバに漏れる状況を防止し、上蓋２と下水槽１との間に余分の防水処理をする必要がなく、生産コストが低減し、上蓋２を開ければ、直接下水槽１に水を加えるか、又は洗浄を行うことができ、製品は使いやすい上に、長く使える。同時に、下水槽１がいずれの電気素子にも接続されていないので、溶接する必要がなく、その構造が簡単であり、放置される時にさらに他の収納用途に用いられ得る。
【００２０】
霧化部品６と表示制御パネル４との間の電気的接続が、エネルギー集積霧化管５の外側にワイヤチャンバを設けることにより実現され得ることは、当業者であれば、全て理解できる。勿論、霧化部品６と表示制御パネル４を接続するワイヤが導電性能に影響しない他の位置に設けられてもよく、ここでは限定されるものではない。同時に、霧化部品６が超音波霧化装置であってもよく、従来技術であることは、当業者であれば、全て理解できるので、ここでは省略する。
【００２１】
さらに、入気部５１の頂部にブロワ３に接続される入気口が設けられており、入気部５１の底部に導風斜面５１１が設けられており、ブロワ３から生じる気流が入気口を経て入気部５１に入り、導風斜面５１１に導かれて、より集中的にエネルギー集積霧化管５のキャビティに入る。
【００２２】
さらに、エネルギー集積霧化管５のキャビティにエネルギー集積フロート７が設けられている。エネルギー集積フロート７はエネルギー集積霧化管５における水位が高すぎて霧化効果に影響することを回避できる。エネルギー集積フロート７の中心位置に集霧スルーホール７１が設けられている。集霧スルーホール７１は水煙をより集中させ、噴霧効果を向上することができる。
【００２３】
さらに、集霧スルーホール７１の外側壁に幾つかの補強リブ７２が設けられており、エネルギー集積フロート７の構造強度を向上し、超音波によって破壊されることを防止する。
【００２４】
さらに、上蓋２に、エネルギー集積霧化管５に接続されるラッパ口２２が設けられている。ラッパ口２２の幅が下から上に大きくなり、噴霧の範囲がより大きくなる。上蓋２の上端に噴霧蓋２３が設けられており、噴霧蓋２３がラッパ口２２に被覆接続され、噴霧蓋２３の底部にエネルギー集積リング２３１が設けられており、エネルギー集積リング２３１が下に向けて開口する円弧形を呈しており、エネルギー集積リング２３１とラッパ口２２との間に噴霧隙間が形成し、噴霧口２１が噴霧蓋２３の頂部に設けられ、噴霧隙間に連通して、水煙の流動速度を低減でき、噴霧効果がより柔らかくなる。
【００２５】
さらに、エネルギー集積リング２３１の下端の中心位置に分流リング２３２が設けられており、分流リング２３２に幾つかの分流孔２３３が設けられている。一部の水煙は分流リング２３２に入り、分流孔２３３から噴霧の隙間に流れ、噴霧効果がより柔らかくなる。
【００２６】
さらに、下水槽１と上蓋２が全て円柱体状を呈する。
【００２７】
第２の実施例
図４を参照する。本実施例と第１の実施例との相違点は、本水中給水加湿器の下水槽１と上蓋２が全て四角形状を呈することである。
【００２８】
他の説明されていない部分は第１の実施例と同様であり、ここでは省略する。
【００２９】
前記実施例は本考案の好ましい実施形態に過ぎず、本考案はさらに他の実施形態を有していてもよい。当業者は、本考案の趣旨を逸脱することなく、さらに等価の変形又は置換を行ってもよい。これらの等価の変形又は置換は、全て本願の特許請求の範囲に設定される範囲に含まれる。
【図１】
0003229468.tif 000003
【図２】
0003229468.tif 000004
【図３】
0003229468.tif 000005
【図４】
0003229468.tif 000006